(57)【要約】【課題】健康管理機能を具有する電子スケールの構造を提供する。【解決手段】  マイクロプロセッサ、食品データベースモジュール、重量感知装置、識別モジュール、モニター、ユーザーデータベースモジュールで構成する電子スケールで、マイクロプロセッサは内蔵プログラムで資料のイン／アウトプット、保存、分析／運算を行い、食品データベースモジュールをマイクロプロセッサと接続し、各種食品の詳細資料を保存する。重量感知装置は計量皿を含み被計量食品を置き食品の重さを量る。識別モジュールは被計量食品の識別ラベル内の資料を識別し得た識別資料を介し、食品データベースモジュールで対応する食品及び資料を見つけ、マイクロプロセッサが分析運算を行い、モニターにて計量食品の栄養成分、エネルギーなどの栄養情報を表示し、ユーザーにお薦め摂取量及び警告情報を提供し、ユーザーの飲食記録データを保存する。【選択図】  図１
0003171825.tif 000002
【実用新案登録請求の範囲】
【請求項１】
マイクロプロセッサ、食品データベースモジュール、重量感知装置、識別モジュール、モニター、ユーザーデータベースモジュールを含み、
マイクロプロセッサを電子スケールの中に設置し、少なくとも一つの内蔵プログラムを具有し、資料のインプット、アウトプット、保存、分析及び運算を行い、
食品データベースモジュールを電子スケール内に設置し、マイクロプロセッサと接続し、各種食品の詳細資料を保存し、
重量感知装置を該電子スケールの中に設置し、マイクロプロセッサと連結し、該重量感知装置は計量皿を含み、該計量皿に少なくとも被計量食品を置き、該重量感知装置により、該食品の重さを量り、  
識別モジュールはマイクロプロセッサと連結し、被計量食品の識別ラベル内の資料を識別することができ、
モニターはマイクロプロセッサと電気接続し、モニターに内蔵プログラムの操作インターフェイス及び表示をし、
ユーザーデータベースモジュールを電子スケール内に設置し、マイクロプロセッサと連結し、少なくとも１人のユーザー資料及び少なくとも１人のユーザーの飲食記録資料を保存し、
該識別モジュールが識別ラベルより素早く該食品に関連する詳細資料を取得し、該計量皿で該食品の重量を量った後、該食品に含まれるエネルギー及び栄養成分を計算し、その記録を表示且つ保存をするほか、ユーザーが累計する食用資料を比較し、ユーザーに摂取量の過不足などの警告をする健康管理機能を具有する電子スケールの構造。
【請求項２】
前記識別ラベル内に、対応する食品項目のデータを含むことができることを特徴とする請求項１記載の健康管理機能を具有する電子スケールの構造。
【請求項３】
前記識別ラベルはバーコードであり、該識別モジュールは、該バーコードのコードを読み取ることのできるバーコードリーダーであることを特徴とする請求項１記載の健康管理の機能を具有する電子スケールの構造。
【請求項４】
前記識別ラベルとはチップラベル或いはＩＣラベルのいずれとし、該識別モジュールは、該チップラベル、ＩＣラベルのワイヤレス無線周波数のバーコードリーダーであることを特徴とする請求項１記載の健康管理の機能を具有する電子スケールの構造。
【請求項５】
該ユーザーデータベースモジュールは、ユーザーの身分データベース、飲食記録データベース及びお薦め飲食データベースを含み、該ユーザー身分データベースはユーザーの資料を保存し、該飲食記録データベースはユーザーの飲食資料を記録し、該お薦め飲食データベースでは、医療提供者がユーザーの生理状況に基づき、少なくとも飲食摂取の初期設定基準値或いは摂取量の制限値などの関連資料を構築し、保存することを特徴とする請求項１記載の健康管理機能を具有する電子スケールの構造。
【請求項６】
前記オンライン装置は該マイクロプロセッサと接続し、該マイクロプロセッサの内蔵プログラムにコンサルティング補助インターフェイスを含み、該オンライン装置は外部システムとオンラインし、該外部システムは医療サービスプロットフォームを含み、オンラインにより飲食資料を該医療サービスプラットフォームに送信し、該医療サービスプラットフォームより、最新の飲食医療アドバイスを該お薦め飲食データベースに送信することを特徴とする請求項５記載の健康管理機能を具有する電子スケールの構造。
【請求項７】
前記食品データベースモジュールは一般性食品データベース及び常用食品データベースを含み、該一般性食品データベースの資料は一般の市場に普及する食品の詳細資料を含み、該常用食品データベースの資料は、ユーザーが比較的頻繁に食用する食品詳細資料であることを特徴とする請求項１記載の健康管理機能を具有する電子スケールの構造。
【請求項８】
更に入力装置はマイクロプロセッサと連結し、該入力装置はタッチパネルモニター、外付けキーボード或いはボタン、音声識別装置或いは視角自動識別装置のいずれであることを特徴とする請求項１記載の健康管理機能を具有する電子スケールの構造。
【請求項９】
前記識別モジュールを携帯装置内に設置し、該携帯装置内にあるカメラ装置及び識別ソフトで構成することを特徴とする請求項１記載の健康管理機能を具有する電子スケールの構造。
【請求項１０】
前記携帯装置とは携帯、ＰＤＡ或いはノートパソコンのいずれであることを特徴とする請求項９記載の健康管理機能を具有する電子スケールの構造。
【考案の詳細な説明】
【技術分野】
【０００１】
本考案は電子スケールの構造に関し、特に識別モジュールによって食品の識別をし、或いは直接食品項目を入力することにより、または製品種類に基づき検索する方法を用いて、完成している食品データベースの中から、対応する食品及びそのデータと組合せて分析運算した上で、計量した食品の栄養成分、エネルギーなどの栄養情報を表示して記録し、ユーザーに摂取量及びリマインダー警告を表示する電子スケールの構造に関する。
【背景技術】
【０００２】
環境の変化及び経済成長と裕福な生活に影響され、国民の飲食方法は過去に比べ、かなり改善されている。仕事のニーズで免れない多くの接待に参加することで、多くの人が飲食不良により飲食と関連する疾病を持つようになっている。特に脂質異常症は知らぬ間に増加し、動脈硬化と心臓血管病の主な原因の一つとなっている。脂質異常症は食物の脂質とエネルギーの量と関係があるため、飲食をコントロールすることが、予防と治療の最適な方法である。
【０００３】
従来技術の飲食エネルギーと栄養摂取を計算する方法として、電子スケールの中に、食品データベースと入力装置を内蔵して、普遍的に多くの食物の種類や名称、エネルギー、栄養素、栄養素の含有量などのデータを保存していた。電子スケールで食品の重さを計量し、該入力装置を用いて食品の項目を入力すると、該食品データベースの中から、対応する食品とそのデータを見つけて運算を行ない、該重量の食品に含まれるエネルギー、栄養素の含有量などの情報を、該電子スケールのモニターに現し、ユーザーがそれを参考の元にし、飲食の過不足を判断していた。
【０００４】
しかし、上述の従来技術の電子スケールに内蔵する食品データベースにある資料は、様々な食品の名称、成分、ブランド、メーカ及び味などを含み、大量の資料を検索することで、完璧にデータベースを作り上げることができる。しかし、単一の類似食品の場合、味やブランド、メーカにより差異が生じるため、該食品データベースの完璧さを求めるためには、データベースに入れるデータは膨大な量となる。しかし、そのような膨大な量のデータベースの中から、ユーザーが検索を行なう際、逐一対応する食品を探すため、大変時間がかかり、不便である。
検索の効率を求める場合、直接食品の項目やブランド、メーカ名を入力することもできるが、個々のユーザーが食品項目に対する認識が不一致することもあり、加えて食品名称についても、中国語のサツマイモは（地瓜＆蕃薯）、グァバは（番石榴＆芭樂）と文字が異なる場合があるため、入力しても、対応する食品を見つけられない状況が生じることもある。検索を早めるもう一つの方法とは、各種の食品にコードを設定し、コードを入力することで、素早く検索することもできるが、コードが多くなると、記憶できず、コードが分からないなどの不便性が出てくる。
【０００５】
一方、従来の電子スケールは、運算後に食品に含まれるエネルギー、栄養素の含有量などをモニターに表示するのみで、資料を保存することができない。更に、表示機能のみであるため、ユーザーが過量に飲食をした場合、ユーザーの毎日、毎週、或いは長期に渡り摂取量の過不足に対する警告をすることができず、ユーザーも確実に飲食状況を把握し、飲食不良の習慣を改善することができないため、更なる技術改善をする必要があった。
【先行技術文献】
【特許文献】
【０００６】
【特許文献１】特開２００６−２２８１６８号公報
【考案の概要】
【考案が解決しようとする課題】
【０００７】
前記公知構造の欠点を解決するため、本考案の第１の目的は、該識別モジュールを介し、ラベルの識別により、迅速に該食品に関連する詳細資料を取得することで、人工的に検索する不便を解消し、有効的に検索時間を節約することができるとともに、該スケールで食品の重量を検索した後、該食品に含まれるエネルギー及び栄養成分などの情報を計算し、該モニターに表示する電子スケールの構造を提供することにある。
【０００８】
本考案の第２の目的は、該食品データベースモジュールが一般的な食品データベース及び常用の食品データベースを具有する。該一般的な食品データベースの資料は通常市場に普遍的にある食品の詳細資料を含む。常用の食品データベースの資料は、ユーザーが比較的頻繁に食用する食品の詳細資料であり、且つ該食品データベースモジュールの資料は随時更新することができることで、資料の完璧さと正確性を保つ。人工的に検索する必要がある場合、常用の食品データベースを利用すると、大幅に検索に費やす時間を減少することができる電子スケールの構造を提供することにある。
【０００９】
本考案の第３の目的は、該ユーザーのデータベースモジュールに飲食記録データベース及びお薦め飲食データベースを具有する。該飲食記録データベースはユーザーの飲食資料を保存し、ユーザーの飲食傾向を記録する。該お薦め飲食データベースには個人の飲食の初期設定基準値を作成して保存することができ、ユーザーの累計した食用資料を該初期設定基準値と比較を行なうことで、ユーザーに摂取の過不足の警告をし、ユーザーが判断の上、食品の量を増減することができる電子スケールの構造を提供することにある。
【００１０】
本考案の第４の目的は、該電子スケールにオンライン装置を内蔵し、外部システムとコネクトすることができる。該外部システムとは医療サービスプラットフォームを含み、オンラインをすることにより、該飲食記録データベースにある飲食資料を該医療サービスプラットフォームに送信することができる。医師や栄養士及びケースマネージャーが充分にユーザーの飲食状況を把握することができ、ユーザーの個別状況及び病状に基づき、ユーザーに摂取量をアドバイスし、最新の飲食医療アドバイスを該お薦め飲食データベースに返信する電子スケールの構造を提供することにある。
【００１１】
本考案の第５の目的は、該電子スケールの外部に一つの入力装置を設置し、該食品に識別ラベルを持たない場合、直接該食品項目を入力、或いは製品種類に基づき検索を行なうことができ、該食品データベースモジュールの中から対応する食品及び当該資料を見つけると同時に、該食品を計量及び情報を分析し、ユーザーが自ら栄養の摂取状況を理解することができる電子スケールの構造を提供することにある。
【課題を解決するための手段】
【００１２】
上述の目的を解決するために、本考案は健康管理機能を具有する電子スケールの構造を提供するものである。
【００１３】
上述の目的を解決するために、本考案は健康管理機能を具有する電子スケールの構造を提供するものであり、本考案に含まれるのはマイクロプロセッサ、食品データベースモジュール、重量感知装置、識別モジュール、モニター、ユーザーデータベースモジュールであり、
マイクロプロセッサを電子スケールの中に設置し、少なくとも一つの内蔵プログラムを具有し、資料のインプット、アウトプット、保存、分析及び運算を行う。食品データベースモジュールを電子スケール内に設置し、マイクロプロセッサと接続し、各種食品の詳細資料を保存する。重量感知装置を該電子スケールの中に設置し、マイクロプロセッサと連結し、該重量感知装置は計量皿を含み、該計量皿に少なくとも被計量食品を置き、該重量感知装置により、該食品の重さを量る。
【００１４】
識別モジュールはマイクロプロセッサと連結し、被計量食品の識別ラベル内の資料を識別することができる。モニターはマイクロプロセッサと電気接続し、モニターに内蔵プログラムの操作インターフェイス及び表示をする。及びユーザーデータベースモジュールを電子スケール内に設置し、マイクロプロセッサと連結し、少なくとも１人のユーザー資料及び少なくとも１人のユーザーの飲食記録資料を保存する。該識別モジュールが識別ラベルより素早く該食品に関連する詳細資料を取得し、該計量皿で該食品の重量を量った後、該食品に含まれるエネルギー及び栄養成分を計算し、その記録を表示且つ保存をするほか、ユーザーが累計する食用資料を比較し、ユーザーに摂取量の過不足などの警告をする健康管理機能を具有する電子スケールの構造である。
【考案の効果】
【００１５】
本考案はマイクロプロセッサ、食品データベースモジュール、重量感知装置、識別モジュール、モニター、ユーザーデータベースモジュールの設置により、ラベルの識別により、迅速に該食品に関連する詳細資料を取得し、随時更新できるほか、ユーザーの飲食資料を保存し、飲食の傾向を記録する。摂取の過不足の警告することもでき、オンライン装置を内蔵し、外部システムの医療サービスプラットフォームとオンラインをすることにより、医師や栄養士及びケースマネージャーが充分にユーザーの飲食状況を把握することができ、ユーザーの個別状況及び病状に基づき、ユーザーに摂取量と最新の飲食医療アドバイスを返信することができる。
【図面の簡単な説明】
【００１６】
【図１】本考案の第一実施例の主な組立ユニットの略図である。
【図２】本考案の使用状態略図である。
【図３】本考案のユーザーデータベースモジュールの組立ユニットの略図である。
【図４】本考案の食品データベースモジュールの組立ユニットの略図である。
【図５】本考案の識別モジュールの応用として二次元バーコードを識別する略図である。
【図６】本考案の識別モジュールの応用として三次元バーコードを識別する略図である。
【図７】本考案の第二実施例の組立ユニットの略図である。
【図８】本考案の外部システムの組立ユニットの略図である。
【図９】本考案の第三実施例の組立ユニット略図である。
【考案を実施するための形態】
【００１７】
本考案の実施例の構造を明確に示すために、図に沿って詳細な説明を行う。以下の実施例の詳細な説明においては、説明に適する比例やサイズ、変形或いは変位に基づくものであり、実際の部品の比例ではない。
【００１８】
図１及び図２に示すのは、本考案の第一実施例の健康管理機能を具有する電子スケール１０である。それに含まれるのはマイクロプロセッサ１１、識別モジュール１２、重量感知装置１３、入力装置１４、ユーザーデータベースモジュール１５、食品データベースモジュール１６、モニター３０である。
【００１９】
該マイクロプロセッサ１１、重量感知装置１３、ユーザーデータベースモジュール１５、食品データベースモジュール１６を該電子スケール１０の中に設置することで、該識別モジュール１２、重量感知装置１３、入力装置１４、ユーザーデータベースモジュール１５、食品データベースモジュール１６をマイクロプロセッサ１１と接続する。該重量感知装置１３は計量皿２０を含み、該計量皿２０を該電子スケール１０に設置し、少なくとも一つの被計量食品４０を置く。該重量感知装置１３は置かれる食品４０の重さを感知し、それの重量を量る。
【００２０】
該マイクロプロセッサ１１は、少なくとも一つの内蔵プログラムを具有し、資料のインプット、アウトプット、保存、分析及び運算を行う。該モニター３０を該電子スケール１０の外部に設置し、該マイクロプロセッサ１１と電気接続をする。該モニター３０より内蔵プログラムの操作インターフェイスを表示することができ、ユーザーは該入力装置１４を通じて、該内蔵プログラムを操作し、食用データを入力する。該入力装置１４にスイッチボタン及びリセットボタンを設け、該スイッチボタンで該計量皿２０の電源をオンオフすることができ、該リセットボタンは風袋引機能、リセット機能を具有し、該電子スケール１０の様々な機能をコントロールする。
【００２１】
被計量食品４０に識別ラベル４１を設け、該識別ラベル４１に該食品４０の様々な資料を載せ、該識別モジュール１２は該識別ラベル４１にある資料を識別することができる。中でも該識別ラベル４１を該食品４０のパッケージにプリントすることができ、または単独に下げ札にプリント、或いはその他の方法を用いて該食品４０と結合する。
【００２２】
図３に示すように、該ユーザーデータベースモジュール１５はユーザーの身分データベース１５１と飲食記録データベース１５２、お薦め飲食データベース１５３を含む。該ユーザー身分データベース１５１の資料に少なくともユーザーの名前、年齢、身長、体重、疾病、特殊状況（例えば妊娠）などを含む。該飲食記録データベース１５２に、後日検索用にユーザーの過去一区切りの期間内の飲食データを保存する。該お薦め飲食データベース１５３はユーザーの年齢、身長、体重、疾病及び特殊状況に基づき、個人の少なくとも毎日のトータルのエネルギー摂取の初期設定標準値、特定栄養素のお薦め初期設定標準値或いは制限摂取量などの関連データを設定して保存し、ユーザーの参考にする。該ユーザーデータベースモジュール１５内のユーザー資料は増加、修正、削除、検索或いはプリントアウトをすることができる。
【００２３】
図４に示すように、該食品データベースモジュール１６は一般的な食品データベース１６１及び常用食品データベース１６２を含む。該一般的な食品データベース１６１の資料は一般的に市場に普遍的にある食品の名称、エネルギー、栄養素、栄養素の含有量、食用功能などの詳細データを含む。該食品とは生の豚肉、牛肉、魚、野菜、米、小麦粉・・・など調理前のものを指し、または牛肉麺、餃子、野菜炒め、プライドポテト、ピザなど調理した料理を指す。該常用食品データベース１６２の資料は、ユーザーが比較的頻繁に食用する食品の資料であり、便利に迅速にユーザーが比較的頻繁に食用するお好みの食品を検索することができる。
該食品データベースモジュール１６の資料を該モニター３０に表示することができ、ユーザーはそれを読み取り、該入力装置１４を通じてクリックし、且つ該食品データベースモジュール１６内にある食品データは同じく増加、修正、削除、検索或いはプリントアウトをすることができる。
【００２４】
上記構造を説明した上で、下記は本考案の実施原理に基づき詳細説明を行う。
ユーザーは予め該入力装置１４でユーザー資料を入力し、該資料をユーザーデータベースモジュール１５内に保存する。該ユーザー資料は個人専用に単一のユーザー資料とすることができる。ユーザーが操作をする際、該ユーザーデータベースモジュール１５に自動ログインし、ユーザー資料を表す。また、該ユーザー資料は複数のユーザー資料を登録することができ、使用する際、該ユーザーデータベースモジュール１５にてユーザーをセレクトしてログインすることができる。
【００２５】
該識別ラベル４１はバーコード（Barcode）とすることができ、該バーコードは図５に示すような二次元バーコード（２Ｄ  Barcode）、或いは図６に示すような三次元バーコード（３Ｄ  Barcode）とすることができる。現在、食品を販売する際、該包装に全て各食品独自のバーコード番号を具有している。該識別ラベル４１内は該食品４０のメーカ、品目などの資料が組み込まれている。該識別モジュール１２とは該バーコードラベルを識別するバーコードリーダーであり、該バーコードリーダー１２を用いて該識別ラベル４１を識別し、素早く該食品４０のメーカ、品目などの資料を読み取り、該食品データベースモジュール１６の中から対応する食品４０の資料を検索する。
【００２６】
また、該識別ラベル４１とはＲＦＩＤタグのようなチップラベル或いはＩＣラベルとすることができる。該識別ラベル４１に該食品４０のメーカ、品目のほかに、更に食品衛生管理法にて定められているパッケージ食品に表示の必要な食品成分、エネルギー、栄養成分などの資料を入れることができる。この時、該識別モジュール１２は該チップラベル、ＩＣラベルのＲＦＩＤタグを識別するバーコードリーダーとなる。該識別ラベル４１内の食品成分、エネルギー、栄養成分の含有量は食品の生産ロットにより多少の差異が生じることがあるため、チップラベル或いはＩＣラベルを使用することで、該識別モジュール１２は迅速に食品４０に関連する詳細資料を読み取ることができるほか、食品４０に関連する資料が、ロットにより誤差が生じる状況を解決することができ、計量の正確さを高める。一方、食品メーカが新しい製品或いは食品の配合を変更する際、この方法であれば、即座に識別する資料を更新することができる。
【００２７】
図２に示すように、ユーザーはユーザーデータベースモジュール１５を通じて、ユーザーの身分を確認した後、まず該被計量食品４０を該計量皿２０の上に置き、該識別モジュール１２によって該食品４０の識別ラベル４１内にある資料を識別する、または資料を識別してから重さを量る。該重量感知装置１３によって該食品４０の重さを計量した後、該マイクロプロセッサ１１は該識別モジュール１２より食品の資料を識別し、食品データベースモジュール１６の中から、対応する食品及び資料を見つけて比較運算を行なったうえで、該食品４０の重さに基づき、食品のエネルギー、栄養成分などの資料を該モニター３０に表示し、ユーザーが読み取る。該飲食記録データベース１５２に該ユーザーの飲食資料を記録し、飲食傾向を記録する。
【００２８】
該飲食記録データベース１５２が保存するユーザーの累計した食用資料を、該お薦め飲食データベース１５３にある初期設定標準値と比較を行い、食用量が該初期設定標準値の臨界点に接近する場合、該モニター３０にメッセージを表示し、ユーザーに摂取量のコントロールの注意を促す。食用量が初期設定標準値を既に超える、或いは達していない場合、ユーザーの摂取量の過不足の警告をする。この時、該食品４０を該計量皿２０に置いた場合、ユーザーは該摂取の過不足の警告を通じ、該食用する食品４０を減少、排除或いは増加するなど、コントロールすることができる。
【００２９】
上記の操作方法により、識別ラベル４１を設ける食品４０は、識別モジュール１２を通じて、素早く該食品４０の資料を入力することができ、便利性を高める。しかし、多くの青空市場から購入する食品、或いは未調理の食材については、識別できる識別ラベル４１がないため、そのときは、該入力装置１４を使って、直接対応する食品項目を入力、或いは製品の種類に基づき検索を行なうなど、検索補助の役割を具有し、食品データベースモジュール１６の中から、対応する食品資料を見つけ出す。
【００３０】
また、卵の殻や、エビ殻、ハマグリ及び野菜果物など。多くの食品４０に殻或いは皮を具有し、或いはそれらの食品４０を入れる容器があることを考慮し、分析したあとの食用資料がより正確であるよう、該食品データベースモジュール１６は、食品の廃棄率データプログラムを設定し、該マイクロプロセッサ１１は該食品４０の廃棄率を計算することができる。マイクロプロセッサ１１が該食品データベースモジュール１６内に保存している資料と比較したあと、食品４０の廃棄率を計算する。或いは該食品の食用前及び食用後の重量を計量することで、容器の重さ及び該食品４０の未食用の部分の重さを差し引くことで、精確に食用した量を計量することができる。
【００３１】
本考案の第二実施例は、図７及び図８に示すように、該電子スケール１０内にオンライン装置１７を設置し、マイクロプロセッサ１１と接続する。また、該マイクロプロセッサ１１の内蔵プログラムにコンサルティング補助インターフェイス１９を含み、該モニター３０に表示する。該オンライン装置１７は外部システム１８とオンラインし、該外部システム１８に含まれるのは医療サービスプラットフォーム１８１、食品データベースシステム１８２及びユーザーデータベースシステム１８３である。該医療サービスプラットフォーム１８１とは外部の医療所或いは健康管理センターなどの医療部門であり、コンサルティング補助インターフェイス１９を通じて、該オンライン装置１７と該医療サービスプラットフォーム１８１とのやり取り情報をモニター３０に表示する。ユーザーはユーザーアカウント番号及びパスワードを入力し、該食品データベースシステム１８２に入り、該食品データベースモジュール１６内の資料を更新する。ユーザーが該ユーザー身分データベース１５１にログインした後、該オンライン装置１７を通じて外部システム１８にオンラインしたとき、該ユーザーデータベースシステム１８３はユーザー資料を該ユーザー身分データベース１５１と照合し、ユーザーの身分を確認する。
【００３２】
身分確認したあと、直ちに該飲食記録データベース１５２にある飲食資料を該医療サービスプラットフォーム１８１に送信し、該医療部門の医師及び栄養士、或いは健康管理士など、治療に参加しているスタッフたちが、充分にユーザーの飲食状況を把握した上で、該ユーザー資料に基づき、ユーザーの個別状況及び病状に合わせ、摂取量のアドバイスをする。トータルの量が初期設定基準値を超過、或いは達しない場合、モニター３０のコンサルティング補助インターフェイス１９に警告メッセージを表示し、ユーザーに該食品４０の摂取量を減少、排除或いは増加するよう促す。該医療サービスプラットフォーム１８１が提供する飲食医療アドバイスは、該お薦め飲食データベース１５３内に送信及び保存し、後日検索できることで、自分の過去一区切りの期間内の飲食状況が適当且つ適切に摂取しているのかを理解することができ、不適切或いは不適量な摂取により、健康を害するのを回避する。
【００３３】
これにより、医師及び栄養士、健康管理士などの医療提供者は、ユーザーの当時の病状に基づき、即座に飲食医療アドバイスを更新することができるため、ユーザーが飲食のコントロールを通じて、病状が改善するのをサポートする。このほか、該飲食医療アドバイスは電子メール或いは携帯メールを通じてユーザーに送信することができる。また、該コンサルティング補助インターフェイス１９を利用するほか、ユーザーは調理済みの料理の写真を撮り、コンピューター或いは携帯電話などの方法を通じて、該医療サービスプラットフォーム１８１に送信し、食品４０のエネルギー、栄養素などの情報を獲得することができる。
【００３４】
本考案の入力装置１４はほかの形態を具有することができる。該入力装置１４は複数を該電子スケール１０の外部に設置し、ユーザーがそのボタン或いは外付けのキーボードをプッシュして操作することができる。また、該モニター３０をタッチパネルにし、タッチする方法で当該資料をセレクトしてコントロールする。これにより、全体構造の体積を縮小することができ、使用上の便利性を高める。該入力装置１４はマイクロプロセッサ１１の操作インターフェイスを通じて指令を入力し、或いは直接ユーザー資料及び食品資料を入力し、該ユーザーデータベースモジュール１５と食品データベースモジュール１６に保存する。このほか、該入力装置１４は音声識別装置或いは視覚自動識別装置とすることができ、音声識別装置を通じて、音声でユーザー資料及び食品４０項目を入力し、該視覚自動識別装置では、図形或いは映像識別方法を通じて、ユーザー資料及び食品４０項目を入力することができる。例えば顔識別及び指紋識別方法を利用し、迅速にユーザーを識別することができ、ユーザーは迅速且つ便利に入力をすることができる。
【００３５】
図９に示すのは、本考案の第三実施例である。該識別モジュール１２及びマイクロプロセッサ１１及び食品データベースモジュール１６、ユーザーデータベースモジュール１５を携帯装置５０内に設置して使用する状態である。該携帯装置５０とは携帯電話、ＰＤＡ或いはノートパソコンなどとすることができる。携帯電話内蔵のカメラや、ＰＤＡ内蔵の映像システム及びノートパソコン内蔵のカメラレンズなど、該携帯装置５０内にあるカメラ装置５１を該携帯装置５０内にある識別ソフト５２と組み合わせることで、該識別モジュール１２を完成する。
【００３６】
該実施例は外付けの計量皿６０を組み合わせる必要があり、該外付けの計量皿６０は該携帯装置５０と連結することができる。これにより、ユーザーは該外付け計量皿６０を通じて該食品４０の重さを得た後、該重量情報をＵＳＢ或いはその他の方法を用いて、該携帯装置５０に送信し、また該カメラ装置５１を用いて該食品４０の映像を撮影したあと、該識別モジュール１２を介して、該映像を情報として転換し、識別を行なう。識別した資料と重量情報を食品データベースモジュール１６内に対応する食品及び資料と比較運算を行なったうえ、該食品４０の重量に基づき、該食品のエネルギー、栄養成分などの情報を保存することで、ユーザーがいつでもどこでも飲食記録データベース１５２を通じて、外出時の飲食情報を検索することができる。
【００３７】
このほか、該携帯装置５０と該外付け計量皿６０は互いに連結させないこともできる。このとき、該外付け計量皿６０で該食品４０の重さを計量したあと、直接重量情報を該携帯装置５０に入力すれば、直ちに上述の作業を行なうことができる。これにより、ユーザーは外出していても、便利に即座に飲食状況を記録することができ、栄養摂取状況を確実に把握することができる。
【００３８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３９】
１０  電子スケール
１１  マイクロプロセッサ
１２  識別モジュール
１３  重量感知装置
１４  入力装置
１５  ユーザーデータベースモジュール
１６  食品データベースモジュール
２０  計量皿
３０  モニター
【図１】
0003171825.tif 000003
【図２】
0003171825.tif 000004
【図３】
0003171825.tif 000005
【図４】
0003171825.tif 000006
【図５】
0003171825.tif 000007
【図６】
0003171825.tif 000008
【図７】
0003171825.tif 000009
【図８】
0003171825.tif 000010
【図９】
0003171825.tif 000011